(57)【特許請求の範囲】
【請求項１】
弁室と、前記弁室に連通された第１開口部、第２開口部、第３開口部および第４開口部とを含む弁座と、
前記弁室内の第１の位置と第２の位置との間を移動可能に設けられている弁体とを備え、
前記弁体が前記第１の位置にある第１状態において、前記第１開口部と前記第２開口部との間を接続する第１流路、および前記第３開口部と前記第４開口部との間を接続しかつ前記第１流路と区画された第２流路が、前記弁室内に配置され、
前記弁体が前記第２の位置にある第２状態において、前記第２開口部と前記第３開口部との間を接続しかつ前記第１開口部および前記第４開口部と区画された第３流路が前記弁室内に配置され、かつ前記第１開口部と前記第４開口部との間が遮蔽され、
前記第２状態において前記弁室内に配置される流路数は、前記第１状態において前記弁室内に配置される流路数よりも少なく、
前記弁座は、前記弁室に面し、かつ前記第１開口部、前記第２開口部、および前記第３開口部の各一端が配置されている第１面を有し、
前記弁体は、前記第１面に対して摺動する第２面と、前記第２面に対して凹んでいる凹部とを有しており、
前記弁体が前記第１の位置にあるときに、前記第１流路は前記凹部内に配置され、
前記弁体が前記第２の位置にあるときに、前記第３流路は前記凹部内に配置され、かつ前記第１開口部は前記第２面によって閉止される、流路切替弁。
【請求項２】
前記弁体は、前記第１の位置にあるときに前記第１流路と前記第２流路とを区画し、前記第２の位置にあるときに、前記第１開口部および前記第４開口部の少なくともいずれかを閉止し、かつ前記第３流路と前記第１開口部および前記第４開口部とを区画する、請求項１に記載の流路切替弁。
【請求項３】
前記第１開口部、前記第２開口部、および前記第３開口部は第１方向に順に並んで配置されており、
前記第２面は、前記凹部よりも前記第１方向に延びるように配置されている、請求項１または２に記載の流路切替弁。
【請求項４】
前記弁室は、前記第４開口部の一端が配置されており、かつ前記第１面と対向する第３面をさらに有し、
前記弁体は、前記第３面に対して摺動する第４面をさらに有し、
前記弁体が前記第１の位置にあるときに、前記第１流路は前記凹部内に配置され、
前記弁体が前記第２の位置にあるときに、前記第３流路は前記凹部内に配置され、かつ前記第４開口部は前記第４面によって閉止される、請求項１〜３のいずれか１項に記載の流路切替弁。
【請求項５】
前記第４開口部は、前記第３開口部と対向するように配置されており、
前記第４開口部の中心線は、前記第３開口部の中心線と同一直線状に配置される、請求項４に記載の流路切替弁。
【請求項６】
流路切替弁と、第１熱交換器と、第２熱交換器とを含む冷媒回路を備え、
前記流路切替弁は、
弁室と、前記弁室に連通された第１開口部、第２開口部、第３開口部および第４開口部とを含む弁座と、
前記弁室内の第１の位置と第２の位置との間を移動可能に設けられている弁体とを備え、
前記弁体が前記第１の位置にある第１状態において、前記第１開口部と前記第２開口部との間を接続する第１流路、および前記第３開口部と前記第４開口部との間を接続しかつ前記第１流路と区画された第２流路が、前記弁室内に配置され、
前記弁体が前記第２の位置にある第２状態において、前記第２開口部と前記第３開口部との間を接続しかつ前記第１開口部および前記第４開口部と区画された第３流路が前記弁室内に配置され、かつ前記第１開口部と前記第４開口部との間が遮蔽され、
前記第２状態において前記弁室内に配置される流路数は、前記第１状態において前記弁室内に配置される流路数よりも少なく、
前記冷媒回路は、前記第１熱交換器の一端と接続されている第１流出入配管と、前記第１流出入配管と前記流路切替弁の前記第４開口部とを接続している第２流出入配管と、前記第１熱交換器の他端と前記流路切替弁の前記第２開口部とを接続している第３流出入配管と、前記流路切替弁の前記第３開口部と前記第２熱交換器の一端とを接続している第４流出入配管と、前記第２熱交換器の他端と接続されている第５流出入配管と、前記流路切替弁の前記第１開口部と前記第５流出入配管とを接続している第６流出入配管とを含み、
前記弁体が前記第１の位置にあるときに前記第１熱交換器と前記第２熱交換器とが並列に接続され、
前記弁体が前記第２の位置にあるときに前記第１熱交換器と前記第２熱交換器とが直列に接続される、空気調和機。
【請求項７】
前記第１熱交換器および前記第２熱交換器が蒸発器として作用するときに前記流路切替弁の前記弁体が前記第１の位置に配置され、
前記第１熱交換器および前記第２熱交換器が凝縮器として作用するときに前記流路切替弁の前記弁体が前記第２の位置に配置される、請求項６に記載の空気調和機。 
【発明の詳細な説明】
【技術分野】
【０００１】
本発明は、流路切替弁および該流路切替弁を備える空気調和機に関する。
【背景技術】
【０００２】
従来、流路切替弁として四方弁、六方弁等が知られている。これらの流路切替弁は、弁座および弁体を備え、弁座に対する弁体の相対的な位置変更により、流路を切替可能に設けられている。【０００３】
従来の流路切替弁は、このような切替動作の前後で、流路の数が変わらないように設けられている。例えば、Ａ流路、Ｂ流路、Ｃ流路およびＤ流路と接続された従来の四方弁は、Ａ流路とＢ流路とを接続しかつＣ流路とＤ流路とを接続した状態と、Ａ流路とＤ流路とを接続しかつＢ流路とＣ流路とを接続した状態とを切替可能に設けられている。【０００４】
特開２０００−２７４８７９号公報には、１組の四方弁と閉止弁とからなる流路切替弁を備え、該流路切替弁により冷媒回路内のパス数の切替を行う空気調和機が開示されている。
【先行技術文献】
【特許文献】
【０００５】
【特許文献１】特開２０００−２７４８７９号公報
【発明の概要】
【発明が解決しようとする課題】
【０００６】
上述した１組の四方弁と閉止弁とからなる流路切替弁では、各々を配置するスペースが必要となるとともに、各々を駆動する駆動部を配置するスペースも必要となるため、小型化が困難である。【０００７】
本発明の主たる目的は、冷媒回路内のパス数の切替を行うことができ、かつ従来の上記流路切替弁と比べて小型化することができる流路切替弁および該流路切替弁を備える空気調和機を提供することにある。
【課題を解決するための手段】
【０００８】
本発明に係る流路切替弁は、弁室と、弁室に連通された第１開口部、第２開口部、第３開口部および第４開口部とを含む弁座と、弁室内の第１の位置と第２の位置との間を移動可能に設けられている弁体とを備える。弁体が第１の位置にあるときに、第１開口部と第２開口部との間を接続する第１流路、および第３開口部と第４開口部との間を接続しかつ第１流路と区画された第２流路が、弁室内に配置される。弁体が第２の位置にあるときに、第２開口部と第３開口部との間を接続しかつ第１開口部および第４開口部と区画された第３流路が弁室内に配置され、かつ第１開口部と第４開口部との間が遮蔽される。
【発明の効果】
【０００９】
本発明に係る流路切替弁は、第１開口部と第２開口部との間を接続する第１流路、および第３開口部と第４開口部との間を接続しかつ第１流路と区画された第２流路が、弁室内に配置された第１状態と、第２開口部と第３開口部との間を接続する第３流路が弁室内に配置されるとともに第１開口部と第４開口部との間が遮蔽された第２状態とを切替可能である。その結果、上記流路切替弁は、閉止弁を伴わずに冷媒回路内のパス数の切替を行うことができるため、従来の上記流路切替弁と比べて小型化することができる。
【図面の簡単な説明】
【００１０】
【図１】実施の形態１に係る流路切替弁の構成を示す分解斜視図である。
【図２】図１に示された流路切替弁の第１状態を示す断面図である。
【図３】図１に示された流路切替弁の第２状態を示す断面図である。
【図４】実施の形態１に係る空気調和機の構成を示す図である。
【図５】図４に示された空気調和機の第１状態における冷媒流路を示す図である。
【図６】図４に示された空気調和機の第２状態における冷媒流路を示す図である。
【図７】実施の形態２に係る流路切替弁の構成を示す斜視図である。
【図８】図７に示された流路切替弁の第１状態を示す断面図である。
【図９】図７に示された流路切替弁の第２状態を示す断面図である。
【図１０】実施の形態２に係る流路切替弁の変形例を示す断面図である。
【図１１】実施の形態３に係る流路切替弁の第１状態を示す上面図である。
【図１２】実施の形態３に係る流路切替弁の第２状態を示す上面図である。
【図１３】図１１および図１２に示された流路切替弁の弁体を示す斜視図である。
【図１４】実施の形態１に係る流路切替弁の変形例の第１状態を示す断面図である。
【図１５】実施の形態１に係る流路切替弁の変形例の第２状態を示す断面図である。
【発明を実施するための形態】
【００１１】
以下、本発明の実施の形態について、図面を参照しながら詳細に説明する。なお、図中同一または相当部分には同一符号を付してその説明は原則として繰り返さない。
【００１２】
実施の形態１．
＜流路切替弁の構成＞
図１〜図３に示されるように、実施の形態１に係る流路切替弁１００は、弁座５０と、弁体６０とを備える。弁座５０は、弁室５１と、弁室５１に連通された第１開口部Ｐ１、第２開口部Ｐ２、第３開口部Ｐ３および第４開口部Ｐ４を含む。弁体６０は、弁室５１内を移動可能に設けられている。流路切替弁１００は、弁体６０が弁室５１内の第１の位置に配置されている第１状態と、弁体６０が弁室５１内の第２の位置に配置されている第２状態とを切替可能に設けられている。
【００１３】
図２に示されるように、弁体６０が第１の位置にあるときに、第１開口部Ｐ１と第２開口部Ｐ２との間を接続する第１流路Ｆ１と、第３開口部Ｐ３と第４開口部Ｐ４との間を接続しかつ上記第１流路Ｆ１と区画された第２流路Ｆ２とが、弁室５１内に配置される。
【００１４】
図３に示されるように、弁体６０が第２の位置にあるときに、第２開口部Ｐ２と第３開口部Ｐ３との間を接続しかつ第１開口部Ｐ１および第４開口部Ｐ４と区画された第３流路Ｆ３が弁室内に配置され、かつ第１開口部Ｐ１と第４開口部Ｐ４との間が遮蔽される。
【００１５】
図２および図３に示されるように、弁体６０は、第１の位置にあるときに第１流路Ｆ１と第２流路Ｆ２とを区画する。さらに、弁体６０は、第２の位置にあるときに、第１開口部Ｐ１および第４開口部Ｐ４を閉止するとともに、第３流路Ｆ３と、第１開口部Ｐ１および第４開口部Ｐ４と接続された冷媒流路とを区画する。ここで、区画するとは、２つの流路間で流体の混合が防止された状態を実現することを指す。
【００１６】
以下、流路切替弁１００のより詳細な構成を説明する。図１〜図３に示されるように、弁室５１は、第１開口部Ｐ１、第２開口部Ｐ２および第３開口部Ｐ３の各一端が形成されている第１面５２と、第４開口部Ｐ４の一端が形成されている第３面５３と、第１面５２と第３面５３との間を接続する側面５４とを有している。第１面５２は、第３面５３と対向するように配置されている。弁室５１は、第１面５２、第３面５３、および側面５４に囲まれており、ほぼ直方体に形成されている。側面５４は弁室５１の外側に湾曲している。
【００１７】
弁座５０には弁室５１の第１面５２と対向する外側の面５５に、第１配管５６Ａ、第２配管５６Ｂ、第３配管５６Ｃが一列に並んで接続されている。第１配管５６Ａ、第２配管５６Ｂ、第３配管５６Ｃの弁座５０に接続された端部側の各開口部が、第１開口部Ｐ１、第２開口部Ｐ２および第３開口部Ｐ３を成している。また弁室５１の第３面５３と対向する外側の面５７に第４配管５６Ｄが接続されている。第４配管５６Ｄの弁座５０に接続された端部側の開口部が第４開口部Ｐ４を成している。第３開口部Ｐ３と第４開口部Ｐ４は弁室５１において対向している。
【００１８】
第１開口部Ｐ１、第２開口部Ｐ２および第３開口部Ｐ３の各一端は、例えば第１方向Ａにおいて順に並んで配置されている。なお、説明の便宜上、以下において第２開口部Ｐ２に対し第１開口部Ｐ１が位置する側を第１方向Ａの第１側とよび、第２開口部Ｐ２に対し第３開口部Ｐ３が位置する側を第１方向Ａの第２側とよぶ。第１方向Ａにおいて、第１開口部Ｐ１および第２開口部Ｐ２の各一端間の距離は、例えば第２開口部Ｐ２および第３開口部Ｐ３の各一端間の距離と等しい。第３開口部Ｐ３の一端は、例えば弁室５１を挟んで第４開口部Ｐ４の一端と対向するように配置されている。第３開口部Ｐ３の中心線は、例えば第４開口部Ｐ４の中心線と同一直線状に配置されている。第１面５２および第３面５３は、曲面であってもよいが、例えば平面である。第１開口部Ｐ１、第２開口部Ｐ２、第３開口部Ｐ３および第４開口部Ｐ４の各々の開口面積は、例えば等しい。
【００１９】
弁体６０は直方体形状をなしている。弁体６０が弁室５１内に配置されている状態において弁室５１の第１面５２と対向する面が、弁体６０の第２面６１であり、弁室５１の第３面５３と対向する面が、弁体６０の第４面６３である。
【００２０】
図２および図３に示されるように、弁体６０は、第１方向Ａに沿って移動可能に設けられている。つまり、弁体６０の移動方向は、第１開口部Ｐ１、第２開口部Ｐ２および第３開口部Ｐ３の各一端の配列方向に沿っている。弁体６０は、弁座５０と摺動可能に設けられている。弁体６０は、弁座５０との摺動面として、第２面６１および第４面６３とを有している。弁体６０の第２面６１は、弁座５０の第１面５２に対し摺動可能である。弁体６０の第４面６３は、第２面６１とは反対側に配置されており、弁座５０の第３面５３に対し摺動可能である。
【００２１】
弁体６０は、第２面６１に対して凹んでいる凹部６２を有している。第２面６１は、凹部６２の周囲を囲むように配置されている。第１状態および第２状態において、第２面６１が第１面５２に接触しかつ第４面６３が第３面５３と接触する。これにより、弁体６０は、弁座５０に対して、少なくとも第２面６１および第４面６３に垂直な方向に位置決めされている。
【００２２】
凹部６２は、第１開口部Ｐ１、第２開口部Ｐ２および第３開口部Ｐ３のうち、第１方向Ａにおいて隣り合う２つの開口部間を接続するように設けられている。凹部６２は、第１開口部Ｐ１、第２開口部Ｐ２および第３開口部Ｐ３のうち、第１方向Ａにおいて隣り合う３つの開口部間を同時に接続しないように設けられている。
【００２３】
凹部６２は、第１状態において第１開口部Ｐ１および第２開口部Ｐ２に面するように配置され、第１開口部Ｐ１と第２開口部Ｐ２とを接続する。凹部６２は、第２状態において第２開口部Ｐ２および第３開口部Ｐ３に面するように配置され、第１開口部Ｐ１と第２開口部Ｐ２とを接続する。すなわち、凹部６２は、第１状態において第１流路Ｆ１を形成し、第２状態において第３流路Ｆ３を形成する。
【００２４】
凹部６２は、弁体６０を貫通しないように設けられている。凹部６２は、第２面６１上にのみ開口しており、第４面６３を含む他の面上には開口していない。凹部６２において第２面６１から最も離れた位置にある部分（底部）は、第４面６３と間隔を隔てて配置されている。凹部６２は、例えば第１方向Ａに沿った断面形状が半円形状を成している。
【００２５】
凹部６２の第１方向Ａの幅は、例えば第１開口部Ｐ１の上記第１側の端部と第３開口部Ｐ３の上記第２側の端部との間の距離未満であり、例えば第１開口部Ｐ１の上記第１側の端部と第２開口部Ｐ２の上記第２側の端部との間の距離に等しい。凹部６２の第１方向Ａに垂直な方向の幅は、例えば第１開口部Ｐ１、第２開口部Ｐ２、および第３開口部Ｐ３の第１方向Ａに垂直な方向の幅以上である。第１状態および第２状態における第２面６１と第１面５２との接触部および第４面６３と第３面５３との接触部は、２つの開口部と接続された凹部６２内に形成される第１流路Ｆ１または第３流路Ｆ３と、他の２つの開口部と接続される冷媒流路とを区画可能である。
【００２６】
図２に示されるように、第１の位置に配置された弁体６０の上記第１側の端部は、第１開口部Ｐ１の上記第１側の端部よりも上記第１側に配置されている。第１の位置に配置された弁体６０の上記第２側の端部は、第２開口部Ｐ２の上記第２側の端部と第３開口部Ｐ３の上記第１側の端部との間に配置されている。弁体６０は、流路切替弁１００が第１状態とされている間、第１の位置に保持される。これにより、第１状態では、第１開口部Ｐ１と第２開口部Ｐ２との間を接続する第１流路Ｆ１が凹部６２内に配置されるとともに、第３開口部Ｐ３と第４開口部Ｐ４との間を接続する第２流路Ｆ２が弁室５１内であって弁体６０の外側に配置される。
【００２７】
図３に示されるように、第２の位置に配置された弁体６０の上記第１側の端部は、第１開口部Ｐ１の上記第２側の端部と第２開口部Ｐ２の上記第１側の端部との間に配置されている。第２の位置に配置された弁体６０の上記第２側の端部は、第３開口部Ｐ３の上記第２側の端部よりも上記第２側に配置されている。弁体６０は、流路切替弁１００が第２状態とされている間、第２の位置に保持される。これにより、第２状態では、第２開口部Ｐ２と第３開口部Ｐ３との間を接続する第３流路Ｆ３のみが凹部６２内に配置される。弁体６０の上記第１側の端部と弁室５１の第１側の内周端部との間に配置される空間は、第１開口部Ｐ１のみと接続されており、第４開口部Ｐ４とは区画されている。これにより、第２状態では、第１開口部Ｐ１と第４開口部Ｐ４との間を接続する流路は弁室５１内に配置されず、第１開口部Ｐ１と第４開口部Ｐ４との間は遮蔽されている。
【００２８】
異なる観点から言えば、弁体６０は、第２面６１および凹部６２の開口部を有する区画部６０Ａと、区画部６０Ａと一体として設けられておりかつ第４面６３を有する遮蔽部６０Ｂとを含む。区画部６０Ａおよび遮蔽部６０Ｂは、第２面６１および第４面６３に垂直な方向において並んで配置されている。弁体６０が第１の位置および第２の位置にあるときに、区画部６０Ａの第２面６１の全面が弁座５０の第１面５２と接触し、凹部６２内に配置される第１流路Ｆ１または第３流路Ｆ３と、弁体６０の外側に配置される空間とを区画する。弁体６０が第１の位置にあるときに、遮蔽部６０Ｂの第４面６３の全面が第３面５３と接触し、遮蔽部６０Ｂは第３開口部Ｐ３と第４開口部Ｐ４とを接続する第２流路Ｆ２を遮蔽しない。弁体６０が第２の位置にあるときに、遮蔽部６０Ｂの第４面６３の一部が第４開口部Ｐ４と重なるように配置され、かつ第４面６３の上記一部の周囲に位置する部分が第３面５３と接触する。これにより、遮蔽部６０Ｂは、第１開口部Ｐ１と第４開口部Ｐ４との間を遮蔽する。
【００２９】
弁体６０の第２面６１および第４面６３は、例えば長手方向と短手方向とを有している。上記長手方向は第１方向Ａに沿って延びており、上記短手方向は第１方向Ａに垂直な方向に沿って延びている。
【００３０】
なお、第１状態において、弁体６０の上記第１側の端部と弁室５１の第１側の内周端部との間には、例えば空間が配置されていてもよい。当該空間は、第２面６１と第１面５２との接触部および第４面６３と第３面５３との接触部により、第１流路Ｆ１と区画されていればよい。また、第２状態において、弁体６０の上記第２側の端部と弁室５１の第２側の内周端部との間には、例えば空間が配置されていてもよい。当該空間は、第２面６１と第１面５２との接触部および第４面６３と第３面５３との接触部により、第３流路Ｆ３および第１開口部Ｐ１および第４開口部Ｐ４と区画されていればよい。
【００３１】
弁体６０は、図示しない駆動部によって第１の位置と第２の位置との間を移動可能に設けられている。駆動部は、任意の構成を有していればよく、いわゆる差圧駆動式であってもよいし、電磁駆動式であってもよい。
【００３２】
＜空気調和機の構成＞
図４に示されるように、実施の形態１に係る空気調和機１０は、圧縮機１、四方弁２、室外熱交換器３、膨張装置４、第１室内熱交換器５、第２室内熱交換器６、および流路切替弁１００を含む冷媒回路を備えている。上記冷媒回路は、冷媒を、圧縮機１、室外熱交換器３、膨張装置４、第１室内熱交換器５を順に経て圧縮機１に戻る順方向Ｙ１、または圧縮機１、第１室内熱交換器５、膨張装置４、室外熱交換器３を順に経て圧縮機１に戻る逆方向Ｙ２に循環させる。つまり、空気調和機１０は、四方弁２が切替えられることにより、冷房運転と暖房運転とを切替可能に設けられている。
【００３３】
さらに、空気調和機１０は、流路切替弁１００が切り替えられることにより、上記冷媒回路において第１室内熱交換器５と第２室内熱交換器６とが直列に接続された状態と第１室内熱交換器５と第２室内熱交換器６とが並列に接続された状態とを切替可能に設けられている。
【００３４】
図４に示されるように、上記冷媒回路は、第１室内熱交換器５の一端と接続されている第１流出入配管１１と、第１流出入配管１１と流路切替弁１００の第４開口部Ｐ４とを接続している第２流出入配管１２と、第１室内熱交換器５の他端と流路切替弁１００の第２開口部Ｐ２とを接続している第３流出入配管１３と、流路切替弁１００の第３開口部Ｐ３と第２室内熱交換器６の一端とを接続している第４流出入配管１４と、第２室内熱交換器６の他端と接続されている第５流出入配管１５と、流路切替弁１００の第１開口部Ｐ１と第５流出入配管１５とを接続している第６流出入配管１６とを含む。
【００３５】
図４に示されるように、第１流出入配管１１は、膨張装置４と接続されている。第５流出入配管１５は、四方弁２の第４ポートＰ１４と接続されている。
【００３６】
四方弁２は、第１ポートＰ１１、第２ポートＰ１２、第３ポートＰ１３および第４ポートＰ１４を有し、第１ポートＰ１１と第２ポートＰ１２とを接続する流路および第４ポートＰ１４と第３ポートＰ１３とを接続する流路が構成された状態と、第１ポートＰ１１と第４ポートＰ１４とを接続する流路および第２ポートＰ１２と第３ポートＰ１３とを接続する流路が構成された状態と、を切り替え可能に設けられている。
【００３７】
図４に示されるように、四方弁２の第１ポートＰ１１は圧縮機１の吐出口と接続されている。四方弁２の第２ポートＰ１２は室外熱交換器３と接続されている。四方弁２の第３ポートＰ１３は、圧縮機１の吸入口と接続されている。四方弁２の第４ポートＰ１４は、第５流出入配管１５を介して第２室内熱交換器６と接続されており、かつ第５流出入配管１５および第６流出入配管１６を介して流路切替弁１００の第１開口部Ｐ１と接続されている。
【００３８】
図４および図５に示されるように、流路切替弁１００が第１状態にあるときに、第１室内熱交換器５と第２室内熱交換器６とは互いに並列に接続される。例えば冷媒が方向Ｙ１に沿って流通させる場合、圧縮機１、室外熱交換器３、膨張装置４を順に流通した冷媒の一部は、第１流出入配管１１、第１室内熱交換器５、第３流出入配管１３、流路切替弁１００内の第１流路Ｆ１、第６流出入配管１６を経て第５流出入配管１５に達する。圧縮機１、室外熱交換器３、膨張装置４を順に流通した冷媒の残部は、第２流出入配管１２、流路切替弁１００内の第２流路Ｆ２、第４流出入配管１４、第２室内熱交換器６を経て第５流出入配管１５に達する。第５流出入配管１５に達した冷媒は、四方弁２の第４ポートＰ１４、第３ポートＰ１３を経て圧縮機１に吸入される。
【００３９】
また、例えば冷媒が方向Ｙ２に沿って流通させる場合、圧縮機１から吐出された冷媒の一部は、第５流出入配管１５、第６流出入配管１６、流路切替弁１００内の第１流路Ｆ１、第３流出入配管１３、第１室内熱交換器５、第１流出入配管１１、膨張装置４、室外熱交換器３を経て圧縮機１に吸入される。圧縮機１から吐出された冷媒の残部は、第５流出入配管１５、第２室内熱交換器６、第４流出入配管１４、流路切替弁１００内の第２流路Ｆ２、第２流出入配管１２、第１流出入配管１１、膨張装置４、室外熱交換器３を経て圧縮機１に吸入される。
【００４０】
図４および図６に示されるように、流路切替弁１００が第２状態にあるときに、第１室内熱交換器５と第２室内熱交換器６とは互いに直列に接続される。例えば冷媒が方向Ｙ１に沿って流通させる場合、圧縮機１、室外熱交換器３、膨張装置４を順に流通した冷媒は、第１流出入配管１１、第１室内熱交換器５、第３流出入配管１３、流路切替弁１００内の第３流路Ｆ３、第４流出入配管１４、第２室内熱交換器６を経て第５流出入配管１５に達する。このとき、流路切替弁１００の第１開口部Ｐ１と第４開口部Ｐ４との間は遮断されており、かつ上記第３流路Ｆ３と第１開口部Ｐ１と第４開口部Ｐ４との間が区画されている。そのため、第２室内熱交換器６に流れる全冷媒は第１室内熱交換器５を流通したものとされている。
【００４１】
また、例えば冷媒が方向Ｙ２に沿って流通させる場合、圧縮機１から吐出された全冷媒は、第５流出入配管１５、第２室内熱交換器６、第４流出入配管１４、流路切替弁１００内の第３流路Ｆ３、第３流出入配管１３、第１室内熱交換器５、第１流出入配管１１、膨張装置４、室外熱交換器３を経て圧縮機１に吸入される。このときも、流路切替弁１００の第１開口部Ｐ１と第４開口部Ｐ４との間は遮断されており、かつ上記第３流路Ｆ３と第１開口部Ｐ１と第４開口部Ｐ４との間が区画されている。そのため、第１室内熱交換器５に流れる全冷媒は第２室内熱交換器６を流通したものとされている。
【００４２】
好ましくは、流路切替弁１００は、第１室内熱交換器５および第２室内熱交換器６が共に蒸発器として作用する冷房運転時に第１状態とされ、第１室内熱交換器５および第２室内熱交換器６が共に凝縮器として作用する暖房運転時に第２状態とされる。
＜作用効果＞
実施の形態１に係る流路切替弁１００は、弁室５１と、弁室５１に連通された第１開口部Ｐ１、第２開口部Ｐ２、第３開口部Ｐ３および第４開口部Ｐ４とを含む弁座５０と、弁室５１内の第１の位置と第２の位置との間を移動可能に設けられている弁体６０とを備える。弁体６０が第１の位置にあるときに、第１開口部Ｐ１と第２開口部Ｐ２との間を接続する第１流路Ｆ１、および第３開口部Ｐ３と第４開口部Ｐ４との間を接続しかつ第１流路Ｆ１と区画された第２流路Ｆ２が、弁室５１内に配置される。弁体６０が第２の位置にあるときに、第２開口部Ｐ２と第３開口部Ｐ３との間を接続しかつ第１開口部Ｐ１および第４開口部Ｐ４と区画された第３流路Ｆ３が弁室５１内に配置され、かつ第１開口部Ｐ１と第４開口部Ｐ４との間が遮蔽される。
【００４３】
このような流路切替弁１００によれば、第１状態と第２状態との切替により、異なる流路を形成することができるとともに、流路の数を増減させることができる。つまり、流路切替弁１００は、閉止弁に依らず第２状態において１つの流路を遮蔽することができるため、上述した従来の空気調和機において冷媒回路内の流路を切り替えかつ流路の数を増減するために構成された１組の四方弁および閉止弁と比べて、その製造コストが低減され得る。
【００４４】
また、一般に閉止弁はその開口面積が大きくなる（大口径になる）程高価である。そこで上述した従来の空気調和機では、製造コスト低減を目的に四方弁よりも開口面積の小さい閉止弁を用いることも考えられるが、この場合、閉止弁を流れることによる冷媒の圧力損失が空気調和機の性能低下を引き起こすという問題がある。
【００４５】
これに対し、流路切替弁１００では、閉止弁が不要とされているために閉止弁に起因した圧力損失が生じない。さらに流路切替弁１００では、閉止弁と異なり各開口部を容易に大口径化することができ、大口径化に伴う製造コストの増大を招かない。そのため、流路切替弁１００は、上記１組の四方弁および閉止弁と比べて、製造コストが低減されながらも、流路切替弁１００内部での圧力損失に伴う空気調和機１０の性能低下を抑制することができる。
【００４６】
上記流路切替弁１００において、弁体６０は、第１状態にあるときに第１流路Ｆ１と第２流路Ｆ２とを区画する。また、弁体６０は、第２状態にあるときに、第１開口部Ｐ１を閉止し、かつ第３流路Ｆ３と第１開口部Ｐ１および第４開口部Ｐ４とを区画する。
【００４７】
このような流路切替弁１００は、弁座５０に対する弁体６０の位置の変更のみによって、第１状態と第２状態とを切替えることができる。異なる観点から言えば、弁体６０は、四方弁の弁体として作用するとともに、閉止弁の弁体としても作用するように設けられている。そのため、流路切替弁１００によれば、上述した従来の空気調和機における１組の四方弁および閉止弁と比べて、上記切替が簡単に実現され得るとともに、異なる流路の形成と流路の数の増減とが実現されるタイミングのずれが抑制されている。言い換えると、流路切替弁１００は、異なる流路の形成と流路の数の増減とを同時に実現することができる。
【００４８】
上記流路切替弁１００において、弁室５１は、第１開口部Ｐ１、第２開口部Ｐ２、および第３開口部Ｐ３の各一端が配置されている第１面５２と、第４開口部Ｐ４の一端が配置されており、かつ第１面５２と対向する第３面５３とを有している。弁体６０は、第１面５２に対して摺動する第２面６１と、第２面６１に対して凹んでいる凹部６２と、第３面５３に対して摺動する第４面６３とを有している。第１状態における第１流路Ｆ１および第２状態における第３流路Ｆ３は凹部６２内に配置され、第２状態における第４開口部Ｐ４は第４面６３によって閉止される。
【００４９】
このような流路切替弁１００では、弁体６０は弁室５１内を摺動することにより、第１の位置と第２の位置との間を移動することができる。そのため、弁体６０を駆動する駆動部は、第２面６１および第４面６３が延在する方向にのみ弁体６０に対し駆動力を付与可能に設けられていればよい。そのため、流路切替弁１００の弁体６０は、例えば従来の四方弁の駆動部と同様の構成を有している駆動部によって、駆動され得る。さらに、弁体６０の第２面６１および第４面６３が互いに対向する弁座５０の第１面５２および第３面５３と摺動することにより、弁体６０は第２面６１に垂直な方向において弁座５０に対し位置決めされている。つまり、弁座５０は、弁座５０の第１面５２と弁体６０の第２面６１とが接触した状態を保持するための保持部としても作用する。そのため、このような流路切替弁１００では、例えば弁座５０の第１面５２および弁体６０の第２面６１のみが摺動する場合に弁座５０の第１面５２と弁体６０の第２面６１とが接触した状態を保持するために必要とされる保持部が、不要とされる。その結果、流路切替弁１００では、保持部が必要とされる場合と比べて、部品点数を低減しながらも、区画されるべき流路間での冷媒の流出入をより確実に防止することができる。
【００５０】
上記流路切替弁１００において、第１開口部Ｐ１、第２開口部Ｐ２、および第３開口部Ｐ３は第１方向に順に並んで配置されている。このような流路切替弁１００では、弁体６０が第１方向Ａに移動されることのみにより、第１状態と第２状態との切替が行われ得る。
【００５１】
上記流路切替弁１００において、第４開口部Ｐ４は、第３開口部Ｐ３と対向するように配置されている。第４開口部Ｐ４の中心線は、第３開口部Ｐ３の中心線と同一直線状に配置される。
【００５２】
このような流路切替弁１００では、第４開口部Ｐ４の中心線が第３開口部Ｐ３の中心線と同一直線状に配置されないように構成されている場合と比べて、第１状態において第３開口部Ｐ３と第４開口部Ｐ４とを接続する第２流路Ｆ２における圧力損失を低減することができる。また、上記流路切替弁１００は、第１開口部Ｐ１、第２開口部Ｐ２、第３開口部Ｐ３、および第４開口部Ｐ４は第１方向に順に並んで配置されている後述する流路切替弁１０１と比べて、第１方向Ａにおいて小型化され得る。
【００５３】
上記空気調和機１０は、上記流路切替弁１００と、第１室内熱交換器５と、第２室内熱交換器６とを含む冷媒回路を備える。上記冷媒回路は、第１室内熱交換器５の一端と接続されている第１流出入配管１１と、第１流出入配管１１と流路切替弁１００の第４開口部Ｐ４とを接続している第２流出入配管１２と、第１室内熱交換器５の他端と流路切替弁１００の第２開口部Ｐ２とを接続している第３流出入配管１３と、流路切替弁１００の第３開口部Ｐ３と第２室内熱交換器６の一端とを接続している第４流出入配管１４と、第２室内熱交換器６の他端と接続されている第５流出入配管１５と、流路切替弁１００の第１開口部Ｐ１と第５流出入配管１５とを接続している第６流出入配管１６とを含む。第１状態では第１室内熱交換器５と第２室内熱交換器６とが並列に接続される。第２状態では第１室内熱交換器５と第２室内熱交換器６とが並列に接続される。
【００５４】
このような空気調和機１０では、流路切替弁１００によって、第１室内熱交換器５と第２室内熱交換器６とが並列に接続された第１状態と、第１室内熱交換器５と第２室内熱交換器６とが直列に接続された第２状態とが切り替えられる。そのため、上記空気調和機１０は、このような切替動作を１組の四方弁と閉止弁とで実行する従来の空気調和機と比べて、製造コストが低減されながらも性能低下が抑制されている。
【００５５】
上記空気調和機１０では、第１室内熱交換器５および第２室内熱交換器６が蒸発器として作用するときに流路切替弁１００が第１状態とされ、第１室内熱交換器５および第２室内熱交換器６が凝縮器として作用するときに流路切替弁１００が第２状態とされる。
【００５６】
実施の形態２．
図７〜図９に示されるように、実施の形態２に係る流路切替弁１０１は、実施の形態１に係る流路切替弁１００と基本的に同様の構成を備えるが、弁体６０が第１の位置と第２の位置とを移動する際に、弁座５０と弁体６０とが１つの面のみで摺動されるように設けられている点で異なる。
【００５７】
図７〜図９に示されるように、流路切替弁１０１では、弁体６０が第１の位置と第２の位置とを移動する際に、弁座５０の第１面５２と弁体６０の第２面６１とが摺動可能に設けられている。流路切替弁１０１では、弁体６０が第１の位置と第２の位置とを移動する際に、弁座５０の第３面５３と弁体６０の第４面６３とが摺動可能に設けられていない。
【００５８】
第１開口部Ｐ１、第２開口部Ｐ２、第３開口部Ｐ３および第４開口部Ｐ４が第１方向Ａにおいて順に並んで配置されている。第４開口部Ｐ４は、第３開口部Ｐ３よりも第１方向Ａにおいて上記第２側に配置されている。
【００５９】
図８および図９に示されるように、弁座５０の第１面５２は、第１開口部Ｐ１よりも第１方向Ａにおいて上記第１側に向かって延びるように配置されている。弁体６０の第２面６１は、凹部６２よりも第１方向Ａにおいて上記第１側に向かって延びるように配置されている。第１方向Ａにおいて第１開口部Ｐ１よりも上記第１側に配置されている第１面５２の一部領域の面積は、第１開口部Ｐ１の開口面積以上である。第１方向Ａにおいて凹部６２よりも上記第１側に配置されている第２面６１の一部領域の面積は、第１開口部Ｐ１の開口面積以上である。
【００６０】
図８に示されるように、第１状態において、弁体６０において凹部６２よりも上記第１側に配置されている第２面６１は、弁座５０において第１開口部Ｐ１よりも上記第１側に配置されている第１面５２と接触している。このとき、凹部６２が、第１開口部Ｐ１および第２開口部Ｐ２に面するように配置されている。
【００６１】
第１の位置に配置された弁体６０の上記第１側の端部は、第１開口部Ｐ１の上記第１側の端部よりも上記第１側に配置されている。第１の位置に配置された弁体６０の上記第２側の端部は、第２開口部Ｐ２の上記第２側の端部と第３開口部Ｐ３の上記第１側の端部との間に配置されている。弁体６０は、流路切替弁１０１が第１状態とされている間、第１の位置に保持される。これにより、第１状態では、第１開口部Ｐ１と第２開口部Ｐ２との間を接続する第１流路Ｆ１が凹部６２内に配置されるとともに、第３開口部Ｐ３と第４開口部Ｐ４との間を接続する第２流路Ｆ２が弁室５１内であって弁体６０の外側に配置される。
【００６２】
図９に示されるように、第２状態において、弁体６０において凹部６２よりも上記第１側に配置されている第２面６１は、第１開口部Ｐ１を閉止する。このとき、凹部６２が、第２開口部Ｐ２および第３開口部Ｐ３に面するように配置されている。第４開口部Ｐ４は、弁室５１内において弁体６０の外側に配置されている空間と接続されているが、該空間は弁体６０によって第１開口部Ｐ１と区画されている。
【００６３】
第２の位置に配置された弁体６０の上記第１側の端部は、第１開口部Ｐ１の上記第１側の端部よりも上記第１側に配置されている。第２の位置に配置された弁体６０の上記第２側の端部は、第３開口部Ｐ３の上記第２側の端部と第４開口部Ｐ４の上記第１側の端部との間に配置されている。弁体６０は、流路切替弁１０１が第２状態とされている間、第２の位置に保持される。これにより、第２状態では、第２開口部Ｐ２と第３開口部Ｐ３との間を接続する第３流路Ｆ３のみが凹部６２内に配置される。弁室５１内において弁体６０の外側に配置されている空間は、第４開口部Ｐ４のみと接続されており、第１開口部Ｐ１とは区画されている。これにより、第２状態では、第１開口部Ｐ１と第４開口部Ｐ４との間を接続する流路は弁室５１内に配置されず、第１開口部Ｐ１と第４開口部Ｐ４との間は遮蔽されている。
【００６４】
異なる観点から言えば、流路切替弁１０１において、弁体６０は、第２面６１および凹部６２の開口部を有する区画部６０Ａと、区画部６０Ａと一体として設けられておりかつ凹部６２よりも上記第１側に位置する第２面６１を有する遮蔽部６０Ｂとを含む。区画部６０Ａおよび遮蔽部６０Ｂは第１方向Ａにおいて並んで配置されている。弁体６０が第１の位置にあるときに、遮蔽部６０Ｂの第２面６１の全面が第１面５２と接触し、遮蔽部６０Ｂは第３開口部Ｐ３と第４開口部Ｐ４とを接続する第２流路Ｆ２を遮蔽しない。弁体６０が第２の位置にあるときに、遮蔽部６０Ｂの第２面６１の一部が第１開口部Ｐ１と重なるように配置され、かつ第２面６１の上記一部の周囲に位置する部分が第１面５２と接触する。これにより、遮蔽部６０Ｂは、第１開口部Ｐ１と第４開口部Ｐ４との間を遮蔽する。
【００６５】
流路切替弁１０１は、流路切替弁１００と基本的に同様の構成を備えているため、流路切替弁１００と同様の効果を奏することができる。
【００６６】
さらに、流路切替弁１０１では、少なくとも３つの開口部が弁体６０の移動方向において並んで配置されている限りにおいて、他の１つの開口部の配置が制限されない。例えば、図１０に示されるように、第４開口部Ｐ４の一端は、弁座５０の第３面５３上に配置されていてもよい。第４開口部Ｐ４は、第１の位置および第２の位置にある弁体６０と重ならない位置に配置されていてもよい。また、第４開口部Ｐ４の上記中心線は、第３開口部Ｐ３の上記中心線と同一直線状に配置されていてもよい。また、第４開口部Ｐ４の上記一端は、第１開口部Ｐ１または第２開口部Ｐ２の一端と対向するように配置されていてもよい。また、第１方向Ａから視て、第１開口部Ｐ１、第２開口部Ｐ２および第３開口部Ｐ３と第４開口部Ｐ４とは、第１方向Ａに延びる弁室５１の中心線に対し０度超え１８０度未満の角度を成すように配置されていてもよい。
【００６７】
なお、流路切替弁１０１は、弁座５０の第１面５２と弁体６０の第２面６１とが接触した状態を保持するための図示しない保持部をさらに備えている必要がある。該保持部は、任意の構成を有していればよく、例えば従来の四方弁において弁体を保持する保持部と同様の構成を有していてもよい。保持部は、例えば弁体６０の第２面６１を弁座５０の第１面５２に機械的に押し当て得るように設けられていてもよいし、凹部６２の内外で静圧差を付与し得るように設けられていてもよい。
【００６８】
実施の形態３．
図１１および図１２に示されるように、流路切替弁１０２は、実施の形態２に係る流路切替弁１０１と基本的に同様の構成を備えるが、第１方向が直線状ではなく第１面５２および第２面６１に垂直な方向から視て点Ｏを中心とする周方向に沿っている点で異なる。図１１〜図１３において、第１方向は矢印Ｂで示されている。図１１および図１２において、弁座５０は点線で図示されている。点Ｏは、第２面６１に垂直な方向から視たときに、第１開口部Ｐ１、第２開口部Ｐ２および第３開口部Ｐ３の各々に外接する円の中心である。なお、説明の便宜上、以下において第２開口部Ｐ２に対し第１開口部Ｐ１が位置する側を第１方向Ｂの第３側とよび、第２開口部Ｐ２に対し第３開口部Ｐ３が位置する側を第１方向Ｂの第４側とよぶ。
【００６９】
図１１および図１２に示されるように、第１開口部Ｐ１、第２開口部Ｐ２および第３開口部Ｐ３の各一端の配列方向および弁体６０の移動方向は、第１方向Ｂに沿うように設けられている。図１１〜図１３に示されるように、弁体６０の第２面６１は、第１方向Ｂにおいて、凹部６２よりも上記第３側に延びるように配置されている。第１方向Ｂにおいて第１開口部Ｐ１と第３開口部Ｐ３との間に配置されている第１面５２の一部領域の面積は、第１開口部Ｐ１の開口面積以上である。第１方向Ｂにおいて凹部６２よりも上記第３側に配置されている第２面６１の一部領域の面積は、第１開口部Ｐ１の開口面積以上である。
【００７０】
図１１に示されるように、第１状態において、弁体６０において凹部６２よりも上記第３側に配置されている第２面６１は、弁座５０において第１開口部Ｐ１よりも上記第３側に配置されている第１面５２と接触している。このとき、凹部６２が、第１開口部Ｐ１および第２開口部Ｐ２に面するように配置されている。
【００７１】
第１の位置に配置された弁体６０の上記第３側の端部は、第１方向Ｂにおいて、第１開口部Ｐ１の上記第３側の端部よりも上記第３側に配置されている。第１の位置に配置された弁体６０の上記第４側の端部は、第１方向Ｂにおいて、第２開口部Ｐ２の上記第２側の端部と第３開口部Ｐ３の上記第３側の端部との間に配置されている。弁体６０は、流路切替弁１０２が第１状態とされている間、第１の位置に保持される。これにより、第１状態では、第１開口部Ｐ１と第２開口部Ｐ２との間を接続する第１流路Ｆ１が凹部６２内に配置されるとともに、第３開口部Ｐ３と第４開口部Ｐ４との間を接続する第２流路Ｆ２が弁室５１内であって弁体６０の外側に配置される。
【００７２】
図１２に示されるように、第２状態において、弁体６０において凹部６２よりも上記第３側に配置されている第２面６１は、第１開口部Ｐ１を閉止する。このとき、凹部６２が、第２開口部Ｐ２および第３開口部Ｐ３に面するように配置されている。第４開口部Ｐ４は、弁室５１内において弁体６０の外側に配置されている空間と接続されているが、該空間は弁体６０によって第１開口部Ｐ１と区画されている。
【００７３】
第２の位置に配置された弁体６０の上記第３側の端部は、第１方向Ｂにおいて、第１開口部Ｐ１の上記第３側の端部よりも上記第３側に配置されている。第２の位置に配置された弁体６０の上記第４側の端部は、第１方向Ｂにおいて、第３開口部Ｐ３の上記第４側の端部と第４開口部Ｐ４の上記第３側の端部との間に配置されている。弁体６０は、流路切替弁１０２が第２状態とされている間、第２の位置に保持される。これにより、第２状態では、第２開口部Ｐ２と第３開口部Ｐ３との間を接続する第３流路Ｆ３のみが凹部６２内に配置される。弁室５１内において弁体６０の外側に配置されている空間は、第４開口部Ｐ４のみと接続されており、第１開口部Ｐ１とは区画されている。これにより、第２状態では、第１開口部Ｐ１と第４開口部Ｐ４との間を接続する流路は弁室５１内に配置されず、第１開口部Ｐ１と第４開口部Ｐ４との間は遮蔽されている。
【００７４】
異なる観点から言えば、流路切替弁１０２において、弁体６０は、第２面６１および凹部６２の開口部を有する区画部６０Ａと、区画部６０Ａと一体として設けられておりかつ凹部６２よりも上記第１側に位置する第２面６１を有する遮蔽部６０Ｂとを含む。区画部６０Ａおよび遮蔽部６０Ｂは第１方向Ｂにおいて並んで配置されている。弁体６０が第１の位置にあるときに、遮蔽部６０Ｂの第２面６１の全面が第１面５２と接触し、遮蔽部６０Ｂは第３開口部Ｐ３と第４開口部Ｐ４とを接続する第２流路Ｆ２を遮蔽しない。弁体６０が第２の位置にあるときに、遮蔽部６０Ｂの第２面６１の一部が第１開口部Ｐ１と重なるように配置され、かつ第２面６１の上記一部の周囲に位置する部分が第１面５２と接触する。これにより、遮蔽部６０Ｂは、第１開口部Ｐ１と第４開口部Ｐ４との間を遮蔽する。
【００７５】
弁体６０は、図示しない駆動部により第１方向Ｂに移動可能に設けられている。駆動部は例えば点Ｏを中心として第１方向Ｂに沿って回転する回転軸を有し、弁体６０は該回転軸に固定されていてもよい。
【００７６】
流路切替弁１０２は、流路切替弁１０１と基本的に同様の構成を備えているため、流路切替弁１０１と同様の効果を奏することができる。
【００７７】
流路切替弁１０２は、流路切替弁１００と同様の構成を備えていてもよい。第４開口部Ｐ４は、第３面５３上に配置されており、第２状態において弁体６０の第４面６３によって閉止されるように設けられていてもよい。このような流路切替弁１０２は、流路切替弁１００と同様の効果を奏することができる。
【００７８】
流路切替弁１００，１０１，１０２において、弁体６０は、少なくとも第１状態および第２状態において弁座５０の第１面５２と接触可能に設けられていればよい。流路切替弁１００，１０１，１０２は、弁体６０の第２面６１が弁座５０の第１面５２と摺動しないように設けられていてもよい。
【００７９】
流路切替弁１００，１０１，１０２は、その流路数が２以上とされている第１状態と、その流路数が第１状態よりも少なくされている第２状態とを切替可能に設けられていればよく、例えばその流路数が３以上とされている第１状態と、その流路数が第１状態よりも少なくされている第２状態とを切替可能に設けられていてもよい。
【００８０】
図１４および図１５は、流路切替弁１００の変形例としての流路切替弁１０３を示している。流路切替弁１０３は、例えば第１開口部Ｐ１と第２開口部Ｐ２とを接続する第１流路Ｆ１、第３開口部Ｐ３と第４開口部Ｐ４とを接続する第２流路Ｆ２、および第５開口部Ｐ５と第６開口部Ｐ６とを接続する第４流路Ｆ４が配置されている第１状態と、第２開口部Ｐ２と第３開口部Ｐ３とを接続する第３流路Ｆ３および第６開口部Ｐ６と第１開口部Ｐ１とを接続する第５流路Ｆ５が配置されている第２状態とを切替可能に設けられている。
【００８１】
弁座５０は、例えば６つの開口部を有している。第５開口部Ｐ５、第６開口部Ｐ６、第１開口部Ｐ１、第２開口部Ｐ２、および第３開口部Ｐ３は、第１方向Ａにおいて順に並んで配置されている。第５開口部Ｐ５、第６開口部Ｐ６、第１開口部Ｐ１、第２開口部Ｐ２、および第３開口部Ｐ３の各一端は、弁座５０の第１面５２上に配置されている。第５開口部Ｐ５および第６開口部Ｐ６は、例えば第１開口部Ｐ１、第２開口部Ｐ２、第３開口部Ｐ３および第４開口部Ｐ４よりも上記第１側に配置されている。
【００８２】
弁体６０は、第１状態における第４流路Ｆ４と第２状態における第５流路Ｆ５とが配置される第１凹部６２Ａと、第１状態における第１流路Ｆ１と第２状態における第３流路Ｆ３とが配置される第２凹部６２Ｂとを含んでいる。第１凹部６２Ａと第２凹部６２Ｂとは第１方向Ａに並んで配置されている。
【００８３】
このような流路切替弁１０３は、第１状態と第２状態とで複数の流路を切り替えることができるとともに、閉止弁を用いることなく、第２状態における流路の数を第１状態における流路の数よりも減ずることができる。なお、流路切替弁１０１，１０２も、流路切替弁１０３と同様の構成を有することができる。
【００８４】
以上のように本発明の実施の形態について説明を行なったが、上述の実施の形態を様々に変形することも可能である。また、本発明の範囲は上述の実施の形態に限定されるものではない。本発明の範囲は、請求の範囲によって示され、請求の範囲と均等の意味および範囲内でのすべての変更を含むことが意図される。
【符号の説明】
【００８５】
１  圧縮機、２  四方弁、３  室外熱交換器、４  膨張装置、５  第１室内熱交換器、６  第２室内熱交換器、１０  空気調和機、１１，１２，１３，１４，１５，１６  流出入配管、５０  弁座、５１  弁室、５２  第１面、５３  第３面、６０  弁体、６０Ａ  区画部、６０Ｂ  遮蔽部、６１  第２面、６２  凹部、６３  第４面、１００，１０１，１０２  流路切替弁、Ｐ１  第１開口部、Ｐ２  第２開口部、Ｐ３  第３開口部、Ｐ４  第４開口部、Ｐ５  第５開口部、Ｐ６  第６開口部、Ｐ１１  第１ポート、Ｐ１２  第２ポート、Ｐ１３  第３ポート、Ｐ１４  第４ポート。
【図１】
0006972293.tif 000002
【図２】
0006972293.tif 000003
【図３】
0006972293.tif 000004
【図４】
0006972293.tif 000005
【図５】
0006972293.tif 000006
【図６】
0006972293.tif 000007
【図７】
0006972293.tif 000008
【図８】
0006972293.tif 000009
【図９】
0006972293.tif 000010
【図１０】
0006972293.tif 000011
【図１１】
0006972293.tif 000012
【図１２】
0006972293.tif 000013
【図１３】
0006972293.tif 000014
【図１４】
0006972293.tif 000015
【図１５】
0006972293.tif 000016